(57)【要約】【課題】引き戸を開閉の都度サッシレールの清掃を自動的に綺麗に行い、しかも清掃機能を長期に亘って良好に維持しての長寿命化を実現し、また取り付け取り外し交換がワンタッチで容易に迅速に出来る簡易な堅牢単純構造にしたサッシレール清掃具を有する引き戸を提供する。【解決手段】幅方向中央部に突条レールを有しこの突条レールの両側に凹溝を形成したサッシレールにおける前記突条レールに、下端部に装着した走行車輪を載せて開け閉めする引き戸において、引き戸の側端部の下部に着脱可能に取り付けられ、下部に前記突条レールを跨ぎ前記サッシレールの両凹溝の各底面に迄垂下する清掃ラッセルを設け、清掃ラッセルの下面に、凹溝の底面と接触可能にした溝清掃パッドを配置してなるサッシレール清掃具を有することを特徴とする引き戸。【選択図】図１
0003178326.tif 000002
【実用新案登録請求の範囲】
【請求項１】
幅方向中央部に突条レールを有しこの突条レールの両側に凹溝を形成したサッシレールにおける前記突条レールに、下端部に装着した走行車輪を載せて開け閉めする引き戸において、引き戸の側端部の下部に着脱可能に取り付けられ、下部に前記突条レールを跨ぎ前記サッシレールの両凹溝の各底面に迄垂下する清掃ラッセルを設け、清掃ラッセルの下面に、凹溝の底面と接触可能にした溝清掃パッドを配置してなるサッシレール清掃具を有することを特徴とする引き戸。
【請求項２】
前記溝清掃パッドを、摩擦抵抗が小さい軟質フェルト、軟質布、軟質スポンジ、マジックテープ（商標）の微細リングパッド又は微細リングパッドにしたことを特徴とする請求項１に記載の引き戸。
【請求項３】
引き戸の側端部の下部に着脱可能に取り付ける前記サッシレール清掃具は、上下位置も調節可能に取り付けたことを特徴とする請求項１に記載の引き戸。
【考案の詳細な説明】
【技術分野】
【０００１】本考案は、サッシレール清掃具を有する引き戸に関するものである。
【背景技術】
【０００２】玄関戸、窓のガラス戸、掃出し戸などの所謂引き戸は、走行車輪をサッシレールに乗せて開閉する。
このサッシレールは、外気に晒されているために、ホコリ、チリ、砂などが溜まり易く開閉に支障を起たす、また衛生上も良くない。【０００３】このためサッシレールを定期的に、あるいは場所によっては、頻繁に清掃を行なう必要がある。【０００４】しかし、このサッシレールの清掃は、サッシレールが大きい凹凸溝を形成している場合が多いため、多種類のブラシを用いて行わなければならない煩雑で困難な作業であり、多くの時間と労力と費用がかかる。【０００５】これが多くの引き戸がある場合には、多大な労力を必要とするため、疲れが激しく、特に、ご高齢者では重労働となる。
したがって長期に清掃がなおざりにされることも多く開閉機能が低下しかつ構造的にも劣化を招く原因ともなる。【０００６】従来、このような問題を解決するため、特許文献１の発明のように引き戸の側端面の下部にブラシを取り付け、或いは特許文献２の発明のように引き戸の下面に、ブラシを装着したピニオンギヤーを設け、このピニオンギヤーに噛合うラックギアをサッシレールの内側面に配置する等して、引き戸を開閉の都度ブラシでサッシレールの溝を清掃し、前記大変な清掃作業を無くしようとする発明が紹介されている。【０００７】しかし、これらはいずれも。ブラシが外気に晒されているため曲損、折損、抜け落ち、汚れなどが多発してごみ化し、且つ戸枠との繰り返し当接による劣化が著しく、清掃機能を著しく低下させてしまい、交換頻度が高い。またラックピニオン式は、ごみがラックピニオン自体に付着しやすくその掃除が大変であると共に、構造が複雑で製作費用が嵩み、且つ素人では取り付けが甚だ困難である。
【先行技術文献】
【特許文献】
【０００８】
【特許文献１】特許第３７２９４９９号公報
【特許文献２】実開昭６３−１４７７４号公報
【考案の開示】
【考案が解決しようとする課題】
【０００９】本発明は、引き戸を開閉の都度サッシレールの清掃を自動的に綺麗に行い、しかも清掃機能を長期に亘って良好に維持しての長寿命化を実現し、また取り付け取り外し交換がワンタッチで容易に迅速に出来る簡易な堅牢単純構造にしたサッシレール清掃具を有する引き戸を提供するものである。
【課題を解決するための手段】
【００１０】  本考案は上記の課題を満足するものでありその特徴とするところは次の（１）〜（２）の通りである。
（１）、幅方向中央部に突条レールを有しこの突条レールの両側に凹溝を形成したサッシレールにおける前記突条レールに、下端部に装着した走行車輪を載せて開け閉めする引き戸において、引き戸の一側端部又は両側端部の下部に着脱可能に取り付けられ、下部に前記突条レールを跨ぎ前記サッシレールの両凹溝の各底面に迄垂下する清掃ラッセルを設け、清掃ラッセルの下面に、凹溝の底面と接触可能にした溝清掃パッドを配置してなるサッシレール清掃具を有することを特徴とする引き戸。【００１１】（２）、前記溝清掃パッドを、摩擦抵抗が低い軟質フェルト、軟質布、軟質スポンジ、マジックテープ（商標）の微細フック側テープ又は微細リング側テープ等にしたことを特徴とする前記（１）に記載の引き戸。【００１２】（３）、引き戸の側端部の下部に着脱可能に取り付ける前記サッシレール清掃具は、着脱交換可能に取り付けたことを特徴とする前記（１）に記載の引き戸。
【考案の効果】
【００１３】本考案の引き戸は、開閉の都度サッシレールの両凹溝の清掃を溝清掃パッドにより自動的に常に綺麗に行い、しかも清掃機能を長期に亘って良好に維持しての長寿命化を実現し、また取り付け取り外し交換がワンタッチで容易に迅速に出来る簡易な堅牢単純構造にしたサッシレール清掃具を設けたものである。【００１５】即ち、前記サッシレール清掃具は、引き戸の側端部の下部に着脱交換可能に取り付けて、そのワンタッチ交換を容易にする。
またサッシレール清掃具は、上下位置も調節可能にすることにより、前記溝清掃パッドの下面と両凹溝の底面との接触圧を清掃に好ましい所望圧に調節することができる。
このためサッシレール清掃具は、溝清掃パッドでサッシレールの両凹溝及び清掃ラッセルの本体を損傷させることなく綺麗に清掃することができる。
溝清掃パッドは清掃ラッセルの下端に交換自在に取り付けることができるので使用中に任意時期にまた任意の資材に変更することができる。
などなどの優れた作用効果を呈するものである。
【図面の簡単な説明】
【００１６】
【図１】本考案の引き戸の正面説明図である。
【図２】図１の矢視Ａ−Ａからの側断面図（１）と図２（１）のＢ−Ｂからの縦断面図（２）である。
【図３】図１の矢視Ｃ−Ｃからの側断面図（１）と図３（１）のＣ−Ｃからの縦断面図（２）である。
【図４】引き戸の端部へのサッシレール清掃具の取り付け例（１）〜（６）種を紹介した縦断面図説明図である。
【考案を実施するための形態】
【００１７】  本考案を実施するための一形態を後述の実施例により詳細に説明する。
【実施例１】
【００１８】実施例１を図１から図３に示す。
図１から図３において、本例の引き戸１００は、室外側から見た図１に示すように、戸枠１１０に室外側から見て奥の左側戸１００−１と手前の右側戸１００−２の一対が組み込まれた例であり、図２と図３の各断面図に示すように、左側戸１００−１は共通のサッシレール２００の上段突条レール２０１−１に凹溝付の車輪１０１−１を係合させて開閉走行される。右側戸１００−２は共通のサッシレール２００の下段突条レール２０１−２に凹溝付の車輪１０１−１を係合させて開閉走行される。【００１９】このサッシレール２００は、図２と図３の各断面図に示すように、アルミなどの金属製で、前記上段突条レール２０１−１の上段側に内凹溝２０２−１を形成し、と上段突条レール２０１−１と下段突条レール２０１−２との間に中間凹溝２０２−２を形成し、下段突条レール２０１−２の下段側に外凹溝２０２−３を形成してある。【００２０】サッシレール清掃具は、図２の（１）と（２）に示すように、左側戸１００−１の左側端面の下部に装着した左サッシレール清掃具３００−１と、図３の（１）と（２）に示すように、右側戸１００−２の右側端面の下部に装着した右サッシレール清掃具３００−２とを例示してある。
この左・右サッシレール清掃具３００−１、３００−２の材質は、ジュラコン製（：ポリオキシメチレン（ＰＯＭ）あるいはポリアセタールとも呼ばれ耐摩擦性、自己潤滑性、クリープ性、耐疲労性、剛性に優れたプラスチック）、その他の合成樹脂製、金属製などで、上部に長穴３０１−１，３０１−２を形成し、ここから当該引き戸（１００−１，１００−２）の側端部の下部にピン３０２−１，３０２−２を挿入して、着脱交換可能にしかも上下位置調節可能に取り付ける。【００２１】ピン３０２−１，３０２−２は、割ピン型式、ネジ式、押し込みウエッジ式（楔式）、押し込み拡張止ピン式、フック爪掛式等ワンタッチで強く装着し且つ簡易に外せるタイプを適宜採用する。
本例は割ピン型式であり先端部のフック部Ｆ１、Ｆ２を当該引き戸の拡張止部１１０−１，１１０−２に挿入して拡張させ抜出ることがロックされる。【００２１】またサッシレール清掃具３００−１，３００−２は、下部に二股の清掃ラッセル３０３−１、３０３−２を有し、清掃ラッセル３０３−１、３０３−２の各二股下端面に溝清掃パッド３０４−１，３０４−２を設置してある。【００２２】二股の清掃ラッセル３０３−１、３０３−２は、図２（１）と図２（１）に示すように、前記当該突条レール２０１−１，２０１−２を跨ぎ、当該サッシレール２０１−１，２０１−２の当該凹溝２０２−１と２０２−２及び２０２−２と２０２−３の各底面に迄垂下する二股になっている。【００２３】溝清掃パッド３０４−１，３０４−２は、本例は下面の面積を広幅にしてあるが、図４に示す例のように狭巾にしてもよい。溝清掃パッド３０４−１，３０４−２の材質は、摩擦抵抗が低い軟質フェルト、軟質布、軟質スポンジ、マジックテープ（商標）の微細フック側テープ又は微細リング側テープ等を採用して、これを清掃ラッセル３０３−１，３０３−２の二股部の下面に接着剤で貼り付け配置し、サッシレール２００の当該凹溝２０２−１と２０２−２及び２０２−２と２０２−３の各底面とフラットに接触して当該引き戸１００−１，１００−２の開閉走行により当該凹溝内の底面にある塵等を拭いてサッシレールの端部に寄せる。【００２４】溝清掃パッド３０４−１，３０４−２と当該凹溝２０２−１と２０２−２及び２０２−２と２０２−３内の底面との接触圧の調節は、引き戸の開閉に影響を与えない程度にして、長穴３０１へのピン３０２螺合挿入位置を決める際に簡単且つ迅速に行うことができる。【００２５】図４に引き戸の端部へのサッシレール清掃具の取り付け例を数種紹介してある・
図４（１）は、引き戸の側端面下部とサッシレール清掃具とを接着剤で接合した端面部接着型である。【００２６】図４（２）は、サッシレール清掃具の裏にＴ字ピンを設け、これを引き戸の側端面下部に設けた正面挿入式鍵穴に挿入し次いでそこからＴ字ピンを横にスライドさせてＴ字ピンの挿出をロックする正面挿入横スライドキー式ロック型１（丸型）である。【００２７】図４（３）は、サッシレール清掃具の裏に¬字フックを設け、これを引き戸の側端面下部に設けた正面挿入式鍵穴に挿入し次いでそこから横に¬字フックをスライドさせて¬字フックの挿出をロックする正面挿入横スライドキー式ロック型（角型）である。【００２８】図４（４）は、サッシレール清掃具の裏に逆¬字フックを設け、これを引き戸の側端面下部に設けた逆¬字フックの嵌溝に真横からスライド挿入嵌合さる横スライドキー式嵌型である。【００２９】図４（５）は、サッシレール清掃具の裏にゴムパッド付の凸突起を設け、これを引き戸の側端面下部に設けた凹溝に正面から圧入嵌合させてるゴムパッド付正面嵌入型である。【００３０】図４（６）は、サッシレール清掃具にロックバネ付挿入穴を設け、これに引き戸の側端面下部に設けた溝付き連結ピンを挿入して、溝付き連結ピンの挿出をロックバネでロックする溝付き連結ピンとロックバネ付挿入穴型である。この他に例示していないが、ロック穴にロックキーを挿入後、ロック穴内でロックキーを９０℃回転させてロックキーの挿出を阻止するタイプ等々適宜なワンタッチロック機構を採用すればよい。
図４において、溝清掃パッドは、いずれも前例の広幅の形状と異なり狭巾にしてあるが、前例と同様の広幅にしてもよい。
【産業上の利用可能性】
【００３１】本考案の引き戸は、開閉の都度サッシレールの両凹溝の清掃を溝清掃パッドにより自動的に常に綺麗に行い、しかも清掃機能を長期に亘って良好に維持しての長寿命化を実現し、また取り付け取り外し交換がワンタッチで容易に迅速に出来る簡易な堅牢単純構造にしたサッシレール清掃具を設けたものである。
この優れた効果によって、引き戸とそのサッシレールの製造産業界の生産者は勿論、使用するユーザーに貢献すること多大なものがある。
【符号の説明】
【００３２】１００−１，１００−２：引き戸
１０１−１，１０１−２：車輪
２００：サッシレール
２０１−１，２０１−２：突条レール
２０２−１，２０２−２，２０２−３：凹溝
３００−１，３００−２：サッシレール清掃具
３０１−１，３０１−２：長穴
３０２−１，３０２−２：ピン（割ピン型）
３０３−１，３０３−２：清掃ラッセル
３０４−１，３０４−２：溝清掃パッド
【図１】
0003178326.tif 000003
【図２】
0003178326.tif 000004
【図３】
0003178326.tif 000005
【図４】
0003178326.tif 000006